(57)【要約】      （修正有）【課題】ぜんまいがほどける過程での発生トルクの変動を少なくすること、またその場合にエネルギー蓄積のための容積の利用効率の高い香箱を提供する。【解決手段】ぜんまいは、長手方向に変化するぜんまいの高さ寸法を有する第１のぜんまい１と第２のぜんまい２とから成り、これらを重ね、巻き込んで用いる。２つのぜんまいは、重ねたぜんまいの高さを一様に保つように配置してもよい。２つのぜんまいの重なり部のぜんまいの高さ方向における位置を長手方向に順次変化させ、ぜんまいを巻き込んだとき、内外の重なり部が重複や干渉することを避けるようにして、ぜんまい内に無駄な隙間が生じないようにし、香箱５内の空間利用効率を維持する。また、重なり部３の幅ｗを内端から外端に向けて漸次狭めることによってぜんまいの剛性を外端に向かうほど小さくし、発生トルクの時間的な平坦化をはかる。【選択図】図１
2015179014.tif 000002
【特許請求の範囲】
【請求項１】
香箱真に一方端を固定し、前記香箱真の周囲に巻回し、他方端を香箱の内壁に接するようにしてなる、ぜんまいを収納した香箱において、
前記ぜんまいは、前記一方端のぜんまい高さが低く、前記他方端のぜんまい高さが高い第１のぜんまいと、前記一方端のぜんまい高さが高く、前記他方端のぜんまい高さが低い第２のぜんまいと、で構成し、
前記第１のぜんまいと前記第２のぜんまいとは、高さ方向に一部が重なる重なり部を有して結合される
ことを特徴とする香箱。
【請求項２】
前記重なり部は、前記香箱真側から前記内壁側に向かうにつれて、前記高さ方向で、位置がずれている
ことを特徴とする請求項１に記載の香箱。
【請求項３】
前記重なり部は、前記香箱真側から前記内壁側に向かうにつれて、前記高さ方向に対して、小さくなる
ことを特徴とする請求項１又は２に記載の香箱。
【請求項４】
前記香箱真は、径が太い第１の径部分と、径が細い第２の径部分とを有し、
前記第１のぜんまいは、前記一方端を前記第１の径部分に固定し、
前記第２のぜんまいは、前記一方端を前記第２の径部分に固定する
ことを特徴とする請求項１から３のいずれか１つに記載の香箱。
【発明の詳細な説明】
【技術分野】
【０００１】
本発明は、機械式時計等の動力源となる、改良されたぜんまいを内蔵する香箱の構造に関する。
【背景技術】
【０００２】
機械式時計においては、動力源として、ぜんまいが一般的に用いられる。通常のぜんまいを収容した香箱を図７を用いて説明する。
図７は、従来の香箱を説明するために模式的に示した断面図であり、図７（ａ）は、ぜんまいがある程度ほどけた状態を示し、図７（ｂ）は、ぜんまいが巻き締められた状態を示している。
【０００３】
図７において、４は従来型のぜんまいで、全長にわたって一様な矩形断面をなす細長い弾性部材をコイル状に巻いたものであり、断面の高さをｈ、厚さをｔとする。５は香箱であり、ほぼ円筒形の容器で、巻かれたぜんまい４を収納する。５ａは香箱５の内周面である。６は香箱真で、ぜんまい４の巻き上げ軸と香箱５の回転軸を兼ね、その外周の固定部６ａにぜんまい４の内端を固定または保持している。
【０００４】
ぜんまい４の外端は、香箱５の内周面５ａに固着されるか、またはスリッピングアタッチメント（図示省略）を介して香箱５の内周面５ａに摩擦結合している。ぜんまい４のほどけようとする弾性力が香箱５を香箱真６に対して回転させるトルクを発生させる。なお、香箱５の外周には、そのトルクを時計の輪列に伝えるための歯車が通常設けられるが、これについても図示省略している。
【０００５】
次に、このような従来の香箱に内蔵される従来型のぜんまいが発生するトルクについて説明する。
図８は、香箱内のぜんまいが発生するトルクの変化を説明する図である。ぜんまいの全巻状態から開放状態まで香箱が回転する間に、発生するトルクの変化を図示したものである。縦軸はトルク、横軸は時間の変化を示している。曲線８は、従来型のぜんまいを用いた場合のトルク曲線である。
【０００６】
ぜんまいは全巻状態では巻真側に巻き締められるが、ほどけるに従って径が広がり、外端部から順次香箱の内周面５ａに密接するように変形する。内周面５ａに密着してしまった部分のぜんまいはもはやトルクを発生せず、トルクはその内側部分にあるぜんまいから発生する。しかしその部分は次第に小径となるのでトルクの腕長が減り、トルクはぜんまいがほどけるにつれ、時間とともに減少する。
【０００７】
一般に、香箱は、できるだけ長い時間一定の回転をすることが求められている。香箱が一定の回転をしないと、その香箱を用いる機械式時計の精度が低下してしまうからである。  したがって、内蔵するぜんまいも、できるだけ長い時間一定のトルクを発生する方が好ましい。しかし、図６に示したように、従来型のぜんまいは、トルク変動がかなり大きい。
【０００８】
ぜんまいの発生するトルクＴは、下記の数式１で求められる。
【０００９】
Ｔ＝（Ｅｈｔ3πＮ）／６Ｌ      （１）
【００１０】
ここで、Ｌはぜんまい長さ、ｈはぜんまい高さ（香箱真の軸に平行な方向の断面寸法）
、ｔはぜんまい厚さ、Ｎは有効巻数、Ｅは弾性率である。
【００１１】
一般的に香箱においては、以下の特性が要求されると思われる。
（ア）全巻状態から開放状態までの間に設定された香箱の有効回転数の範囲において、発生するトルクの変動が少ないこと。
（イ）所定のトルクが持続される時間が長いこと。
（ウ）円筒形の香箱の内容積の利用効率がよく、多くのエネルギーを蓄え得ること。
（エ）香箱体が小型であること。
なお、（イ）〜（エ）項は相互に関連が強く、同じ構成で達成されることが多い。
【００１２】
上記の観点から、従来種々の改善の努力がなされて来た。例えば、１つの香箱に複数のぜんまいを備える技術である（例えば、特許文献１参照。）。また、香箱のぜんまいの幅を、ぜんまいの長さに渡り一様にしないという技術である（例えば、特許文献２参照。）。
【００１３】
特許文献１に示した従来技術は、上記の数式１におけるぜんまい長さＬを極力長くすることによって、多くのエネルギーを蓄積し、持続時間を長くするとともにトルクが実質的に平坦化される範囲を広げようとしたものである。
【００１４】
その手段として、平たい渦巻き状のぜんまいを３段に重ね、隣り合うぜんまいの内端同士、外端同士を連結することによって３つのぜんまいを直列に接続した構成を用いている。
【００１５】
特許文献２に示した従来技術は、トルクを平坦化することを意図して、上記の数式１におけるぜんまい高さｈを全長にわたって一定とせず、内端側（巻軸側）で高さを広く、外端側で高さを狭め、テーパー状に変化させたものである。
【００１６】
特許文献２に示した従来技術においては、ぜんまいのトルクを発生する部分が、ほどけるにつれて内径側（すなわちぜんまい高さが広く、剛性が高くなる方）に移動し、一方では、高さが狭く剛性の小さい外端寄りの部分は香箱内径側面に順次密着して作動しなくなるため、ほどけてきてもトルクが減少することを補償する効果が確かにあると思われる。
【先行技術文献】
【特許文献】
【００１７】
【特許文献１】特公昭３６−１４６５５号公報（第１〜２頁、第２図）
【特許文献２】特開昭５３−１３０５１号公報（第１〜３頁、第２図）
【発明の概要】
【発明が解決しようとする課題】
【００１８】
特許文献１に示す技術の問題点は、何よりもぜんまいを多段に重ねたため、これらを仕切りのための円板と共に収容すると香箱の厚さが厚くなり、搭載される時計等の機器の小型化に不利なことである。特に腕時計において要求が強い、ムーブメントの小型化が不可能になる。また香箱内の構造も複雑化し、安定な動作が得られるかに疑問がある。
【００１９】
特許文献２に示した従来技術では、ぜんまい高さｈ（文献内ではｂ）がテーパー状に小さくなるから、渦巻き状のぜんまいを包む空間は、縁部が薄くなって扁平にしたそろばん玉のような形状を呈する。
【００２０】
これにより、香箱の円筒形空間に収容すると外側ほどそろばん玉の上下に無駄な空間を生じ、エネルギーが蓄積できる体積（ぜんまいがほどける過程で占める体積で、この例で
はそろばん玉状）は少なくなり、容積の利用効率が悪く、発生トルクも全体として小さくならざるを得ないという問題がある。
【００２１】
このように、従来技術には、有効性が高く満足できるものがなかった。本発明は、ぜんまいがほどける過程での発生トルクの変動を少なくすることを第１の目的とする。またそれとともに、エネルギー蓄積のための容積効率の高い香箱を提供することを第２の目的とする。
【課題を解決するための手段】
【００２２】
本発明の香箱は、上記目的を達成するため、以下の構成を採用する。
【００２３】
香箱真に一方端を固定し、前記香箱真の周囲に巻回し、他方端を香箱の内壁に接するようにしてなる、ぜんまいを収納した香箱において、ぜんまいは、一方端のぜんまい高さが低く、他方端のぜんまい高さが高い第１のぜんまいと、一方端のぜんまい高さが高く、他方端のぜんまい高さが低い第２のぜんまいと、で構成し、第１のぜんまいと第２のぜんまいとは、高さ方向に一部が重なる重なり部を有して結合されることを特徴とする。
【００２４】
このような構成にすることによって、重なり部により実質的にぜんまい厚を増やし、発生するトルクを増すことができる。
【００２５】
重なり部は、香箱真側から内壁側に向かうにつれて、高さ方向で、位置がずれているようにしてもよい。
【００２６】
このような構成にすることによって、あるぜんまいの重なり部と隣に周回するぜんまいと重なり部が更に重なることを避けて、巻き数が減少することを防ぎ、ぜんまいの収容効率を高めることができる。
【００２７】
重なり部は、香箱真側から内壁側に向かうにつれて、高さ方向に対して、小さくなるようにしてもよい。
【００２８】
このような構成にすることによって、ぜんまいの長さ方向の部分的な剛性を内端から外端に向けて小さく変化させることができる。
【００２９】
香箱真は、径が太い第１の径部分と、径が細い第２の径部分とを有し、第１のぜんまいは、一方端を第１の径部分に固定し、第２のぜんまいは、一方端を第２の径部分に固定するようにしてもよい。
【００３０】
このような構成にすることによって、ぜんまいの内端側の重なり部の厚さを香箱真に形成された径小の段差部分に吸収し、ぜんまいの収容効率を増すことができる。
【発明の効果】
【００３１】
本発明の香箱は、ぜんまいの剛性分布を改善し発生トルクの変動を少なくできる。また、ぜんまいの空間利用効率を向上させ、蓄積エネルギーを高くすることができる。
【図面の簡単な説明】
【００３２】
【図１】本発明の実施例１の香箱を説明する断面図である。
【図２】本発明の香箱を構成するぜんまいを説明する平面図及び側面図である。
【図３】本発明の香箱と従来の香箱とを比較するトルク曲線を示す図である。
【図４】本発明の香箱を構成するぜんまいを説明する平面図である。
【図５】本発明の香箱を構成するぜんまいを説明する平面図である。
【図６】本発明の実施例２の香箱を説明する断面図である。
【図７】従来の香箱を説明する断面図である。
【図８】従来の香箱のトルク曲線を示す図である。
【発明を実施するための形態】
【００３３】
以下、本発明の実施の形態を、図面を用いて説明する。図面は説明しやすいように模式的に示すものであって、説明に関係のない部分は省略している。また、同一の構成には同一の番号を付与している。
【００３４】
［実施例１の香箱の説明：図１］
まず、実施例１の香箱を構成する要素について説明する。
図１は香箱を説明するための図であって、香箱真を含む断面によって表した模式的な断面図である。図１（ａ）は、ぜんまいがほどけた状態を示している。図１（ｂ）は、ぜんまいがほぼ巻き締められた状態を示している。
【００３５】
図１において、５は香箱であり、その中心軸は香箱真６である。香箱真６はぜんまいの内端部を固定するためにやや径を太くした固定部６ａと、他の部分との軸径の差によって形成された段差部６ｂを備える。
【００３６】
香箱５に内蔵するぜんまいは、所定の厚さｔ１を有する第１のぜんまい１と所定の厚さｔ２を有する第２のぜんまい２とからなる。これら２つのぜんまいは、ぜんまい高さｈ方向に一部を重ねており、重なり部３と呼ぶ。この重なり部３の幅は、幅ｗ（ぜんまいの高さｈの方向の寸法）である。
【００３７】
第１のぜんまい１は、一方の端部である内端部１ａを香箱真６の固定部６ａに固定している。他方の他端である外端部１ｂは、図１に示す例では、図示しないスリッピングアタッチメントなどにより香箱５の内周面５ａと接している。
【００３８】
第２のぜんまい２は、一方の端部である内端部２ａを香箱真６の段差部６ｂに固定されるか、あるいは香箱真の固定部６ａに固着される第１のぜんまい１と固着されることによって間接的に香箱真６に固着（実質的に固着）している。他方の端部である外端部２ｂは、図１に示す例では、第１のぜんまい１の外端部１ｂの香箱真６側の面と接している。
【００３９】
第１のぜんまい１と第２のぜんまい２とは、重なり部３で一部を重ねているが、香箱真６側から香箱の内周面５ａに至る香箱内部においては、第１のぜんまい１と第２のぜんまい２とからなるぜんまいの高さｈの寸法が所定の値になるように保たれている。なお、このぜんまいの高さｈは、香箱５に求める性能により自由に決めることができる。
【００４０】
第１のぜんまい１と第２のぜんまい２との重なり部３の幅ｗは、これら２つのぜんまいを香箱真６に巻回してなる各周回ごとに一様としてもよい。しかし、幅ｗに変化を持たせることによって、ぜんまいのトルク特性を制御することができる。このトルク特性の制御については、後に詳述する。本実施例では、図１に示すように、香箱真６側から香箱の内周面５ａに至って、幅ｗは漸次小さくなっている。そして、重なり部３の位置も、香箱真６側から香箱の内周面５ａに至って、隣の周回の重なり部３同士が同じ位置で重ならないように、ぜんまいの高さ方向に向かい、ずれている。
【００４１】
なお、重なり部３において、両ぜんまいの接触面の少なくとも一部は溶接や接着等で接合されるのが望ましく、以下その趣旨で作用を説明するが、重なり面が摩擦的に接触しているだけであっても、一定の程度の効果が発揮される。
【００４２】
なお、図１にあっては、香箱５の外周に設けられるべき歯車、香箱真６に連結されるべき角穴車など巻上げ機構、ぜんまいの内端部と香箱真６の固定のための細部形状などは、図示を省略している。
【００４３】
［ぜんまいの説明：図２］
次に、香箱５に内蔵するぜんまいについて詳述する。
図２は実施例１の香箱に用いるぜんまいを説明するための平面図及び側面図である。
図２（ａ）は、第１のぜんまい１と第２のぜんまい２とからなるぜんまいを香箱５から取り出し、完全にほどいて引き伸ばした状態（あるいは、香箱真に巻回する前の状態）の平面図である。図２（ｂ）は、図２（ａ）に示す２つのぜんまいを重ねた状態を示す平面図である。図２（ｃ）は、図２（ｂ）の矢印Ａ方向から見た側面図、図２（ｄ）は図２（ｂ）の矢印Ｂ方向から見た側面図である。
【００４４】
図２（ａ）に示すように香箱５に収容される、第１のぜんまい１と第２のぜんまい２とは、それらを高さの方向から眺めると、いずれも、長手方向に底辺を有する細長い台形となるような概形を有する。
【００４５】
第１のぜんまい１は、その台形の底辺１ｆを図面の下側にし、斜辺１ｓを図面の上側にした様子を示している。第２のぜんまい２は、その台形の底辺２ｆを図面の上側にし、斜辺２ｓを図面の下側にした様子を示している。
【００４６】
図２（ｂ）に示すように、両ぜんまいは、所定の重なり部３の幅ｗ（ぜんまいの高さｈの方向の寸法）となるように、この例では第１のぜんまい１が図面手前になるように重ねている。そして、第１のぜんまい１と第２のぜんまい２とからなるぜんまいの高さｈの寸法が所定の値で一定になるように保たれている。
【００４７】
重なり部３の幅ｗは一定ではなく、ぜんまいの長手方向にわたって変化する。すなわち、図２（ｃ）に示すように、ぜんまいの内端方向（内端部１ａ、２ａの方向）に向かうほど幅ｗは大きく、図２（ｄ）に示すように、外端方向（外端部１ｂ、２ｂの方向）に向かうほど小さくなっている。第１のぜんまい１及び第２のぜんまい２は、このようになるように、それぞれ形状を決める（重なり部３の幅ｗを決める。）。
【００４８】
このようにすると、第１のぜんまい１と第２のぜんまい２とからなるぜんまいにおける任意の部分の剛性を調節することができる。
すなわち、ぜんまいの重なり部３の幅ｗが大きいほど、第１のぜんまい１と第２のぜんまい２とを一体のぜんまいと考えたときの、その一体のぜんまいの断面の等価的な厚さｔｖ（つまり、第１のぜんまい１の厚さｔ１と第２のぜんまい２の厚さｔ２とが重なることによる厚さ）が大きくなり、断面２次モーメントが増すためである。
【００４９】
第１のぜんまい１と第２のぜんまい２とを重ねてなる構成にあっては、図２（ｃ）に示すように、香箱５の香箱真６側の内端部１ａ、２ａに近い部分での重なり部３の幅を幅ｗａとし、その等価的厚さをｔｖａ（図示せず）とし、図２（ｄ）に示すように、香箱５の内周面５ａ側の外端部１ｂ、２ｂに近い部分での重なり部３の幅を幅ｗｂとし、その等価的厚さをｔｖｂ（図示せず）とすると、ｗａ＞ｗｂであり、ｔｖａ＞ｔｖｂとなる。
【００５０】
このことにより、第１のぜんまい１と第２のぜんまい２とからなるぜんまいにおける部分的な剛性は、香箱真６に近いほど大きく、香箱５の内周面５ａに近いほど小さく変化することになる。
【００５１】
特許文献２に示した従来技術について説明したように、ぜんまいがほどけるにつれて、
トルクを発生する部分は、香箱真６に近い側ほど生じるトルクが小さくなる傾向がある。本発明においては、香箱真６に近い側の重なり部３の幅ｗａを大きくし（等価的な厚さｔａを厚くし）、剛性を高めておくことができるので、ほどけたぜんまいのトルクを補償し、ぜんまいのトルク特性を平坦化できるという制御を行うことができる。
【００５２】
また、第１のぜんまい１と第２のぜんまい２とからなるぜんまいにおける重なり部３の位置は、図１及び図２（ｂ）に示すように、ぜんまい高さｈの範囲内でその位置が高さｈの方向にずれている。本実施例では、重なり部３は、香箱５の香箱真６側の内端部１ａ、２ａに近い部分では位置が低く、香箱５の内周面５ａ側の外端部１ｂ、２ｂに近い部分では高くなる。つまり、香箱真６に巻回されたぜんまいの重なり部３はスパイラル状となる。
【００５３】
このような構成にすることで、図１（ｂ）に示すように、第１のぜんまい１と第２のぜんまい２とからなるぜんまいを香箱真６に巻き締めた場合でも、ある周回の重なり部３と隣に周回する重なり部３とが更に重なることを避けることができる（第１のぜんまい１と第２のぜんまい２とがその重なり部３において相互に干渉すると言ってもよい。）。
【００５４】
そうすることにより、香箱５の内周面５ａ方向にぜんまいが厚くならず、巻き数が減少することを防ぐことができる。つまり、ぜんまいの収容効率を高めることができ、香箱５に蓄積されるエネルギーを大きくすることができるのである。
【００５５】
以上、説明した香箱５は、第１のぜんまい１及び第２のぜんまい２は巻き締めても、両ぜんまいはそれが作る段差が隣り同士でほぼ重なり、うず巻きの隙間に生じる無駄な空間を少なくすることができる。
これにより、トルク特性を平坦化することができるという効果と、蓄積できるエネルギーを大きくすることができるという効果とを兼ねることができるのである。
【００５６】
［トルク特性の比較：図３］
これらの帰結として、本発明の香箱５のトルク特性と従来の香箱のトルク特性とを比較する。
図３は双方のトルク特性を香箱のサイズ及び香箱真に巻かれるぜんまいの巻き数を等しくするという前提で比較した図であって、第１のぜんまい１と第２のぜんまい２とからなるぜんまいが、全巻（巻き締め）状態からほどけ切って開放されるまでに香箱５が回転しつつ発生するトルクの変化を示したものである。図３に示す曲線７は、本発明の香箱５のトルク特性、曲線８は、図６に示す従来の香箱のトルク特性である。
【００５７】
図３に示すように、本発明の香箱５のトルク特性７と従来の香箱のトルク曲線８とを比較すると、本発明の香箱５は、発生するトルクを平坦化していることが分かる。香箱が発生するトルクが平坦化されることにより、香箱が回転運動を行う間、安定したトルクを長い時間発生できることになり、その香箱を用いる機械式時計の精度が安定するのである。
【００５８】
ところで、図３に示すように、本発明の香箱は、従来の香箱に比して最大トルクが減少している。これは前述のとおり、香箱のサイズを同じにした上で、香箱に内蔵するぜんまいの巻き数も従来の香箱と同じにしたためである。すなわち、第１のぜんまい１及び第２のぜんまい２のそれぞれの厚さが、従来の香箱に内蔵するぜんまいの厚さよりも薄くなっているためである（数式１を参照のこと。）。
【００５９】
知っての通り、香箱が発生する最大トルクは、接続される輪列機構により決めることができるから、図３に示す本発明の香箱も、時計機構を設計する際に、接続される輪列機構に応じて、適するトルク計算を行えば、何らの問題もない。
【００６０】
［変形例の説明：図４］
すでに説明した実施例１の香箱５においては、第１のぜんまい１と第２のぜんまい２とからなるぜんまいの重なり部３の幅ｗが、内端方向（内端部１ａ、２ａの方向）から外端方向（外端部１ｂ、２ｂの方向）に向かうまで、漸次直線的に変化するものとした。もちろん、本発明の香箱５に用いるぜんまいは、それに限定されない。
【００６１】
図４は、ぜんまいの変形例を説明する図であって、第１のぜんまい１と第２のぜんまい２とを重ねた様子を説明する平面図である。この図４に示す例は、すでに説明した図２に示す例と同様に、その重なり部３の幅は漸次小さくなっていることは同じであるが、双方のぜんまいの斜辺１ｓ、２ｓが曲線状になっている。
【００６２】
［ぜんまいの内径または香箱真の形状についての説明：図５］
本発明の香箱に用いるぜんまいを構成する、第１のぜんまい１及び第２のぜんまい２の形状は、その斜辺１ｓ、２ｓの形状が特に重要であることは、重なり部３の形状をきちんと規定しなければならないことに鑑みても理解できる。
【００６３】
香箱真６に第１のぜんまい１と第２のぜんまい２とを巻回するとき、一周したあとでぜんまい同士が干渉しないように、すなわち重なり部３が更に重なって巻かれたぜんまいに隙間ができ、スペース効率を損じることを避けようとすると、必然的にぜんまいの巻きの内径あるいは香箱真６の直径が決まる場合がある。
【００６４】
図５は、重なり部３で重なった第１のぜんまい１及び第２のぜんまい２を示す平面図である。すでに説明した例と同様に第１のぜんまい１が図面手前になっている。
【００６５】
香箱真６に巻回するとき、図５に示すように、１周回目の内側になる第１のぜんまい１の斜辺１ｓと、２周回目の内側になる第２のぜんまい２の斜辺２ｓとが重ならないことが望ましい。
【００６６】
香箱真６の周囲に巻回する最小巻き径（すなわち、香箱真６の直径と考えて良い）をｄとすると、ｓ１＝πｄ  で得られる距離ｓ１が得られる。斜辺１ｓの端部の位置１０は、図５には図示しない香箱真６と接続する部分であるから、この位置１０から距離ｓ１分だけ底辺１ｆ、２ｆに平行な仮想線Ｊを引いたとき、この仮想線Ｊと第２のぜんまい２の斜辺２ｓとの交点である位置２０が位置１０よりも高くなるように、第１のぜんまい１及び第２のぜんまい２の厚さや形状（特に斜辺１ｓ、２ｓ）を決めるのである。
【００６７】
これは、ぜんまいを巻き締めたとき、最小径からのぜんまいの最初の巻回後、１周した第１のぜんまい１と第２のぜんまい２とが厚さ方向に重なる（干渉する）ことを避けるための条件となる。実施例１においては、第１のぜんまい１の斜辺１ｓと第２のぜんまい２の斜辺２ｓとの傾斜が緩いと、距離ｓ１、従って最小巻き径ｄは、比較的大きくなり易い。
【００６８】
したがって、最小巻き径ｄを小さくしたい、つまり、径の細い香箱真６を使用したいときは、第１のぜんまい１と第２のぜんまい２とで構成するぜんまいは、距離ｓ１が小さくできる形状とすればよく、例えば、図４に示す形状の第１のぜんまい１及び第２のぜんまい２を用いるとよい。
【００６９】
［実施例２の香箱の説明：図６］
次に、実施例２の香箱を説明する。
【００７０】
図６は実施例２の香箱を説明するための図であって、香箱真を含む断面によって表した模式的な断面図である。この図は、ぜんまいがほぼ巻き締められた状態を示している。
【００７１】
図６に示す香箱５０は、その表面に段差がない香箱真６０を用いる例である。重なり部３を幅ｗで重ねた第１のぜんまい１と第２のぜんまい２とは、図１に示す実施例１の香箱５の香箱真６の固定部６ａに相当する部分がない香箱真６０に固定され、巻回される。
【００７２】
このような香箱真６０を用いても本発明の香箱５０は構成できるが、ぜんまいはその一端を香箱真６に固定しなければならないため、第１のぜんまい１の内端部１ａと香箱真６０との間には空間６５ができてしまう。
【００７３】
空間６５は、香箱５０の内部にあってはデッドスペースとなるが、すでに説明した第１のぜんまい１と第２のぜんまい２とで構成するぜんまいを巻回することはでき、すでに説明した香箱５と同様な効果を奏することができる。
【００７４】
香箱真６０に第１のぜんまい１及び第２のぜんまい２を巻回するときは、は、図１に示す香箱真６の固定部６ａと段差部６ｂとがないため、周回ごとに重なり部３が重ならないように配慮することが望ましい。
【００７５】
そのため、実施例２の香箱５０には、図４に示す形状のぜんまいを用いるとよい。第１のぜんまい１の斜辺１ｓと第２のぜんまい２の斜辺２ｓが内端付近で急傾斜しているため、ぜんまいの最小巻き径ｄを、実施例１より小さくすることができ、上述の通り、第１のぜんまい１と第２のぜんまい２とが干渉する恐れもより少ないためである
【００７６】
なお、本発明の実施例において、ぜんまいの内端側の例えば数巻き分までは干渉とデッドスペースの生成を容認するが、それより外側では干渉を避けスペース効率を発揮させるという使い方もあり得る。
【００７７】
以上説明した本発明の香箱は、第１のぜんまい及び第２のぜんまいを重ねたことによる部分剛性の変化と容積の利用効率向上により、利用できる弾性エネルギーを減じることなく、発生するトルクを平坦化することができる。そのため、機械式時計においては、脱進機の駆動力を安定化して等時性を改善し、十分な持続時間を得ることができるし、本発明を他の機器に適用しても優れた効果が得られるものである。
【産業上の利用可能性】
【００７８】
この発明は、稼働時間の間、安定したトルクを要求される機械式時計に好適である。
【符号の説明】
【００７９】
１  第１のぜんまい
１ａ  第１のぜんまいの内端部
１ｂ  第１のぜんまいの外端部
２  第２のぜんまい
２ａ  第２のぜんまいの内端部
２ｂ  第２のぜんまいの外端部
３  ぜんまいの重なり部
５、５０  香箱
６、６０  香箱真
６ａ  香箱真の固定部
６ｂ  香箱真の段差部
７  本発明の実施例のトルク曲線
８  従来例のトルク曲線
ｈ  ぜんまい高さ
ｔ  ぜんまい厚さ
ｗ  ぜんまいの重なり部の幅
【図１】
2015179014.tif 000003
【図２】
2015179014.tif 000004
【図３】
2015179014.tif 000005
【図４】
2015179014.tif 000006
【図５】
2015179014.tif 000007
【図６】
2015179014.tif 000008
【図７】
2015179014.tif 000009
【図８】
2015179014.tif 000010